(57)【特許請求の範囲】
【請求項１】
体液採取容器と、該体液採取容器内に設けられた穿刺部材とを少なくとも具備してなる体液採取器具であって、
前記体液採取容器はスポイト状であり、その先端部が中空管状になっていて、該中空管内に電極が固定されており、また、
前記体液採取容器に蛇腹部が形成されており、前記穿刺部材の後端部が前記体液採取容器の後部に固着されていて、
前記蛇腹部を圧縮させると前記穿刺部材が前記中空管内を前進して前記体液採取容器から突出し、
前記蛇腹部を伸展させると、前記体液採取容器が減圧するとともに、前記穿刺部材が前記中空管内を後退して前記体液採取容器内に収納されることを特徴とする体液採取器具。
【請求項２】
体液採取容器と、該体液採取容器内に設けられた穿刺部材とを少なくとも具備してなる体液採取器具であって、
前記体液採取容器はスポイト状であり、その先端部が中空管状になっていて、該中空管内に電極が固定されており、また、
前記体液採取容器において、穿刺方向に垂直な面に谷折部が形成されており、前記穿刺部材の後端部が前記谷折部に固着されていて、
前記谷折部を折り込むと前記穿刺部材が前記中空管内を前進して前記体液採取容器から突出し、
前記体液採取容器を復元させると、該容器が減圧するとともに、前記穿刺部材が前記中空管内を後退して前記体液採取容器内に収納されることを特徴とする体液採取器具。
【請求項３】
前記体液採取器具がカートリッジ式になっていることを特徴とする、請求項１または２に記載の体液採取器具。
【請求項４】
少なくとも、請求項１乃至３いずれか記載の体液採取器具と、前記体液採取器具における体液採取容器を減圧させる手段と、採取した体液の分析結果を示す表示部とを具備してなることを特徴とする体液分析装置。
【請求項５】
前記体液採取容器を減圧させる手段が、前記穿刺部材を穿刺した時に作動することを特徴とする、請求項４記載の体液分析装置。
【発明の詳細な説明】
【０００１】
【発明の属する技術分野】
本発明は、血液や細胞間浸出液等の体液を採取することのできる体液採取器具、及び採取した体液中に含まれる被検知物質を分析することのできる体液分析装置に関する。
【０００２】
【従来の技術】
従来より、血糖値等を測定する場合には、穿刺器具（ランセット）を用いて指先に傷を付け、そこから血滴を絞り出し、包材より取り出してセンサーに装着した電極にその血滴を付着させることにより行っていた。しかしながら、このように穿刺器具とセンサーが分離していると、一連の操作を行うにあたって要する過程が多く煩雑であり、また誤操作の問題もあった。
【０００３】
そこで、穿刺針、毛細管及びセンサーが一体になった医療用システム（特開昭６１−２８６７３８  号公報参照）、穿刺針、吸引具及び血溜体が一体になった採血器（特開平５−１１１４７６号公報、特開平６−３１１９８０号公報、特開平６−３２７６５５号公報、特開平７−５１２５１  号公報参照）ならびに穿刺針、吸引具、血溜体及びセンサーが一体になった採血器（特開平５−９５９３７  号公報、特開平５−９５９３８  号公報参照）が提案された。
【０００４】
しかしながら、これらの器具における採血方法は、いずれも注射器等により減圧して血液を吸引する方式によるものであり、シリンダーの底面を皮膚に密着させないと減圧することができず、特にφ１．０  ｍｍ未満のシリンダーを使用した場合には、密着により切開した傷口の穴が塞がれてしまい、出血が停止してしまう等の欠点があった。また、シリンダーを含む全体の構造が複雑である等の欠点があった。
【０００５】
【発明が解決しようとする課題】
本発明の課題は、吸引による簡便な方法で体液を採取する機構を有する体液採取器具、及び該体液採取器具と、表示部とを具備した便利な体液分析装置を提供することである。
【０００６】
【課題を解決する手段】
上記課題に鑑み鋭意研究の結果、本発明者等は、内部に穿刺針及び電極を有するスポイト状の容器を用いれば、体液の分析を簡便にかつ迅速に行うことができることを見出し、本発明を完成した。
【０００７】
即ち、本発明は、少なくとも、減圧可能な体液採取容器と、前記体液採取容器内に設けられ、前記体液採取容器から突出可能な穿刺部材と、前記体液採取容器内に設けられた電極とを具備してなることを特徴とする体液採取器具である。
また、本発明は、少なくとも、請求項１乃至８いずれか記載の体液採取器具と、前記体液採取器具における体液採取容器を減圧させる手段と、採取した体液の分析結果を示す表示部とを具備してなることを特徴とする体液分析装置である。
【０００８】
【作  用】
減圧可能な体液採取容器と、該体液採取容器内に設けられ、該体液採取容器から突出可能な穿刺部材と、該体液採取容器内に設けられた電極とを具備してなる本発明の体液採取器具によれば、穿刺により出液した体液を容器の減圧により吸引して電極に接触させることができるため、従来あったような、シリンダーの底面を皮膚に密着させないと減圧することができないという問題、φ１．０  ｍｍ未満のシリンダーを使用した場合に密着により切開した傷口の穴が塞がれてしまい、出血が停止してしまうという問題、シリンダーを含む全体の構造が複雑であるという問題等を解決することができる。また、体液を電極等に接触させるための特別の手段を設ける必要がなく、分析に要する一連の操作過程を減らすことができる。
【０００９】
また、本発明の体液採取器具をカートリッジ式にすれば、それらを一体的に使い捨てにすることができ、細菌の感染防止など衛生面において優れたものとなる。
上記体液採取器具と、容器を減圧させる手段と、採取した体液の分析結果を示す表示部とを具備してなる本発明の体液分析装置によれば、一般ユーザーが熟練を必要とせず、容易かつ迅速に体液を採取し、ワンタッチで一切の被検知物質を分析することができる。
【００１０】
【実施例】
以下、図面を参照して本発明を詳細に説明する。
ここで、本発明における体液とは、穿刺することによって生体から出液し得る液体をいい、例えば血液や、細胞間浸出液等が挙げられる。
本発明の一例による体液採取器具の斜視図を図１に示す。この体液採取器具１は、蛇腹部２２及を有するスポイト状の体液採取容器２と、その体液採取容器２内に収納された穿刺針３と、同様に体液採取容器２内に収納された電極部４及びその電極部４に連結されたリード線４１とを有する。穿刺針３の後端部は、体液採取容器２の後部２３に固着されており、スポイト状の体液採取容器２の先端方向に向かって延在している。スポイト状の体液採取容器２の先端部２１は中空管状になっており、電極部４はその中空管の中に固定されている。電極部４に連結されたリード線４１の後端部は、体液採取容器２の後部２３において接点４２を形成している。
【００１１】
この体液採取器具１における体液採取容器２を圧縮した状態を図２に示す。スポイト状の体液採取容器２は蛇腹部２２を有するため、長手方向に圧縮することにより穿刺針３が前進して容器の先端部２１から突出する。そのとき、電極部４は容器の先端部２１に固定された状態を保持し、一方、リード線４１は容器内で弛む。体液採取容器２を圧縮（図２）した後伸展（図１）させると、容器は減圧するとともに、穿刺針３が容器先端部２１内を後退し、突出状態から収納状態に戻る。
【００１２】
体液採取容器２は、蛇腹部２２において伸縮させることのできる材料であれば、いかなるものから形成してもよい。一般にポリオレフィン系の樹脂が好ましく、例えば、ポリエチレンテレフタレート、ポリエチレン、ポリプロピレン、ポリ塩化ビニル、ポリカーボネート、ナイロンなどを単独で又は積層することにより形成が可能である。また、体液採取容器２の製造は常法によって行えばよく、例えばブロー成型法によって行うことができる。
【００１３】
体液採取容器２の大きさ及びその先端部２１の内径は、容器の圧縮〜伸展にかけて、減圧によって所望量の体液を吸引することができればいかなる大きさ、内径であってもよい。体液採取容器２の大きさは、体液分析装置への設置等も考慮すると、内容積が０．０１ｍｌ〜５０ｍｌ程度であるのが好ましく、また、先端部２１の内径は、１．０  ｍｍ〜５．０  ｍｍ程度であるのが好ましい。
【００１４】
穿刺針３は、人体に無害な材料で形成する。そのような材料としては、ステンレス（ＳＵＳ）が好ましい。穿刺針３の長さは、体液採取容器２の大きさによって変わるが、体液採取容器２を圧縮した際に、容器先端部２１から０．１  ｍｍ〜５．０  ｍｍ程度突出する長さであるのが好ましい。本実施例では、穿刺針３は容器圧縮時以外のときは体液採取容器２内に収納されているため、体液分析装置への設置、廃棄の際における誤操作による怪我等を防止することができる。
【００１５】
電極部４には、作用電極及び対照電極が設けられている（図示せず）。対照電極は導電体から形成されるが、作用電極４１は酵素電極として働き、導電体のほかに酵素インキが塗布されている。酵素インキは、体液中の被検知物質に応じて種々のものを選択することができ、例えば血糖値を測定する場合には、グルコースオキシダーゼ等を含むインキ組成物を用いることができる。
【００１６】
接点４２は、リード線４１を通じて流れてくる被検知物質の電気信号を、体液分析装置内に設けられたセンサー演算部に伝達する役割を有する。本実施例では、接点４２は体液採取容器２の後部２３に設けたが、これに限定されることなく、例えば容器の先端部２１と蛇腹部２２との間に設けてもよい。
本体液採取器具１を用いて体液を採取するには、体液採取容器２を圧縮して穿刺針３を容器先端部２１から突出させ（図２）、その突出させた穿刺針３で皮膚を穿刺し、穿刺と同時又は穿刺の直後に体液採取容器２を自己の復元力によって復元させるか、又は外部から力を加えて伸展させる（図１）。このとき、体液採取容器２内は減圧状態になるとともに、穿刺針３は体液採取容器２内に収納される。穿刺によって傷付けられた皮膚からは体液が出液し、減圧によって体液採取容器２内に吸引され、電極部４に接触する。体液中の被検知物質は電気信号に変換され、リード線４１及び接点４２を通じて体液分析装置内に設けられたセンサー演算部に送られる。
【００１７】
この体液採取器具１は、カートリッジ式、即ち交換可能なはめ込み式にして体液分析装置に用いることができる。それによって使い捨てが可能となり、細菌の感染等を防止することができる。また、この体液採取器具１を包装すれば、さらに衛生的に安全となる。
次に、本発明の別の例による体液採取器具の斜視図を図３に示す。体液採取器具１’は、折り畳み可能なスポイト状の体液採取容器２’と、その体液採取容器２’内に収納された穿刺針３’と、同様に体液採取容器２’内に収納された電極部４’及びその電極部４’に連結されたリード線４１’とを有する。
【００１８】
体液採取容器２’は、中空管状になった先端部２１’と、先端部２１’に向かって先細りになっているとともに後方に切り欠きを有する上壁部２４及び下壁部２５と、先端部２１’に向かって先細りになっている側壁部２６，２６’と、上壁部２４及び下壁部２５の切り欠きならびに側壁部２６，２６’の後端に沿って垂直に立設しており、中央部分に垂直方向の谷折部２８が形成されている後壁部２７とを有する。
【００１９】
穿刺針３’の後端部は、体液採取容器２’の後壁部２７における谷折部２８の中央付近に固着されており、スポイト状の体液採取容器２’の先端方向に向かって延在している。中空管状になった体液採取容器２’の先端部２１’の中には、電極部４’が固定されている。電極部４’に連結されたリード線４１’の後端部は、体液採取容器２’の側壁部２４において接点４２’を形成している。
【００２０】
この体液採取器具１’における体液採取容器２’を圧縮した状態を図４に示す。スポイト状の体液採取容器２’は谷折部２８を有するため、側壁部２４，２４’同士を近づけるようにして谷折部２８を折り込むことにより、体液採取容器２’を圧縮することができる。このとき、谷折部２８は先端部２１’に近づき、穿刺針３’が前進して先端部２１’から突出する。なお、電極部４’は容器の先端部２１’に固定されたままであり、一方、リード線４１’は容器内で弛む。体液採取容器２’を圧縮（図４）した後復元（図３）させると、容器は減圧するとともに、穿刺針３’が容器先端部２１’内を後退し、突出状態から収納状態に戻る。
【００２１】
体液採取器具１’における各部材の材料や大きさ等、また体液採取容器１’の使用方法は、上記体液採取器具１と同様である。
以上体液採取器具について説明したが、次にこの体液採取器具を用いた本発明の体液分析装置について説明する。
図５は、図１における体液採取器具１を用いた、本発明の一例による体液分析装置の斜視図である。この体液分析装置５は、円筒状のハウジング６を有し、その円筒の一端が穿刺部６０となっている。ハウジング６には表示部６１が設けられており、またハウジング６の胴部に形成された穴部からは穿刺スイッチ６２が突出している。ハウジング６の内部には、体液採取器具ホルダー７及びその体液採取器具ホルダー７を駆動させるホルダー駆動部８が設置されており、前述した体液採取器具１が体液採取器具ホルダー７に保持されている。
【００２２】
本実施例における体液採取器具１には、その先端部を囲むようにして円筒状のスカート部１１が設けられている。このスカート部１１は、穿刺により体液が飛散するのを防止する役割を有し、体液採取器具１の体液採取容器と一体的に成型してもよいし、別途成型して体液採取容器に取り付けてもよい。
図６は、図５における体液採取器具１、体液採取器具ホルダー７、ホルダー駆動部８及び穿刺スイッチ６２の側面を示す図であって、（ａ）  は体液採取容器を伸展させた状態、（ｂ）  は体液採取容器を圧縮した状態を示している。
【００２３】
体液採取器具ホルダー７は、上部前方に半円弧状のスカート保持部７０ａが形成された本体部７１を有し、その内部にはバネ７８が設置されている。本体部７１の前方には吸引スイッチ４が設けられており、本体部７１の先端に形成された穴部から、その吸引スイッチ４の頭部が突出している。本体部７１の後部からは、板状の後端保持部７０ｂ及び半円弧状の蛇腹保持部７０ｃが形成された摺動部材７２の先方が挿入されており、その摺動部材７２の先端部は上記バネ７８に固着している。また、本体部７１の後部には棒状の押出し部材７３の先端が固着しており、その押出し部材７３の後方は、後述するホルダー駆動部８に挿入されている。上記吸引スイッチ７４には爪部７４ａが設けられており、この爪部７４ａに係合し得る係止部７２ａが摺動部材７２に設けられている。
【００２４】
ホルダー駆動部８は、体液採取器具ホルダー７の押出し部材７３を収容する収容部材８１と、その中に設置されたバネ８２とを有する。
穿刺スイッチ６２には爪部６２ａが設けられており、この爪部６２ａに係合し得る係止部７３ａが上記押出し部材７３に設けられている。
体液採取器具１は、そのスカート部１１がスカート保持部７０ａによって、後端が後端保持部７０ｂによって、蛇腹部２２における最後尾の谷折部が蛇腹保持部７０ｃによって、体液採取器具ホルダー７に保持されている。
【００２５】
爪部６２ａと係止部７３ａが係合した状態（図６（ｂ）  ）で穿刺スイッチ６２を押すと、爪部６２ａが係止部７３ａから外れ、バネ８２の作用によって押出し部材７３は収納部材８１から突出する（図６（ａ）  ）。また、爪部７４ａと係止部７２ａが係合した状態（図６（ｂ）  ）で吸引スイッチ７４が押されると、爪部７４ａが係止部７２ａから外れ、バネ７８の作用によって摺動部材７２は本体部７１から突出する（図６（ａ）  ）。摺動部材７２に設けられた蛇腹保持部７０ｃによって保持された体液採取容器２の後部は、それに伴って後方に引かれ、体液採取容器２は伸展することとなる。
【００２６】
上記体液分析装置５を用いて、体液中の被検知物質を測定する方法の一例を説明する。まず最初に、体液採取器具１を体液採取器具ホルダー７に装着する。そして、吸引スイッチ７４の爪部７４ａが摺動部材７２の係止部７２ａと係合するように、摺動部材７２を本体部７１内に挿入する。これによって体液採取容器２は圧縮され、穿刺針３が先端部２１から突き出る。また、穿刺スイッチ６２の爪部６２ａと押出し部材７３の係止部７３ａが係合するように、押出し部材７３をホルダー駆動部８の収容部材８１内に挿入する。摺動部材７２の挿入と押出し部材７３の挿入は、順序が逆であってもよい。
【００２７】
体液分析装置５における穿刺部６０に、人体の所望の箇所、例えば指先を装着し、穿刺スイッチ６２を押す。すると、爪部６２ａが係止部７３ａから外れ、バネ８２の作用によって押出し部材７３が収納部材８１から突出し、体液採取器具ホルダー７に保持された体液採取器具１を押し出す。それに伴い、体液採取容器２の先端部２１から出ている穿刺針３はハウジング６から突出し、皮膚を穿刺する。それと同時に、吸引スイッチ７４の先端部が皮膚に当接し、吸引スイッチ７４が押される。吸引スイッチ７４が押されると、爪部７４ａが係止部７２ａから外れ、バネ７８の作用によって摺動部材７２は本体部７１から突出する。それに伴い体液採取容器２が伸展し、穿刺針３が容器内に収納されるとともに、容器が減圧する。
【００２８】
穿刺によって皮膚から体液が出液するため、穿刺した部分に近接又は接触している体液採取容器２の先端部２１から出液した体液が吸引される。その吸引によって、体液は先端部２１内に設置されている電極４に接触し、体液中の被検知物質が電気信号となってセンサー演算部に送られ、測定値が表示部６１に示される。
次に、図３における体液採取器具１’を用いた本発明の別の例による体液分析装置について説明する。図７は、その体液分析装置５’の斜視図である。体液分析装置５’は、長方体状のハウジング６’を有し、その長方体の一端が穿刺部６０’となっている。ハウジング６’には表示部６１’が設けられており、またハウジング６’の胴部に形成された穴部からは穿刺スイッチ６２’が突出している。ハウジング６の内部には、体液採取器具ホルダー７’及びその体液採取器具ホルダー７’を駆動させるホルダー駆動部８’が設置されており、前述した体液採取器具１’が体液採取器具ホルダー７’に保持されている。
【００２９】
図７における体液採取器具１’、体液採取器具ホルダー７’、ホルダー駆動部８’及び穿刺スイッチ６２’の斜視図を図８に、側面図を図９に示す。体液採取器具ホルダー７’は板状の本体部７１’を有し、本体部７１’の上には挟持部材７０ｄ，７０ｅが往復可能に設けられている。本体部７１’の後部には、棒状の押出し部材７３’の先端が固着している。この押出し部材７３’の後方は、後述するホルダー駆動部８’に挿入されている。
【００３０】
穿刺スイッチ６２’には爪部６２’ａが設けられており、この爪部６２’ａに係合し得る係止部７３’ａが押出し部材７３’に設けられている。
ホルダー駆動部８’は、体液採取器具ホルダー７’の押出し部材７３’を収容する収容部材８１’と、その中に設置されたバネ８２’とを有する。
上記体液採取器具ホルダー７’における本体部７１’及び挟持部材７０ｄ，７０ｅの分解斜視図を図１０に示す。本体部７１’の前方には吸引スイッチ７４’が設置されている。この吸引スイッチ７４’には爪部７４’ａが設けられており、この爪部７４’ａに係合し得る係止部７５ａを有する第１のラック７５が摺動可能に設置されており、第１のラック７５の一端には、第１のラック７５を押圧し得るバネ７８が設けられている。また、この第１のラック７５と歯合するピニオン７６が回転可能に設置されているとともに、ピニオン７６と歯合する第２のラック７７が第１のラック７５と平行に、かつ摺動可能に設置されている。本体部７１’の上蓋７９は長穴７９ａ，７９ｂを有し、挟持部材７０ｄ，７０ｅはその長穴７９ａ，７９ｂを通してそれぞれ第１のラック７５及び第２のラック７７に固着されている。
【００３１】
体液採取容器２’の側壁部を挟持する挟持部材７０ｄ，７０ｅを有する体液採取器具ホルダー７’は、図１１及び図１２に示すように、挟持部材７０ｄ，７０ｅの間隔を狭めること又は拡げることにより、体液採取容器２’を圧縮・復元することができる。この挟持部材７０ｄ，７０ｅの挟−拡は、以下のようにして行われる。
即ち、爪部７４’ａと係止部７５ａが係合した状態で吸引スイッチ７４’が押されると、爪部７４’ａが係止部７５ａから外れ、バネ７８の作用によって第１のラック７５が摺動し、挟持部材７０ｄが外側に移動する。この第１のラック７５の摺動に伴い、ピニオン７６が回転し、第２のラック７７を第１のラック７５の摺動方向と逆方向に摺動させる。これにより挟持部材７０ｅは、挟持部材７０ｄの移動方向と反対方向の外側に移動し、従って挟持部材７０ｄ，７０ｅ間が拡がることとなる。
【００３２】
また、爪部６２’ａと係止部７３’ａが係合した状態で穿刺スイッチ６２’を押すと、爪部６２’ａが係止部７３’ａから外れ、バネ８２’の作用によって押出し部材７３’は収納部材８１’から突出する。
上記体液分析装置５’を用いて、体液中の被検知物質を測定する方法の一例を説明する。まず最初に、体液採取容器２’を体液採取器具ホルダー７’の挟持部材７０ｄ，７０ｅ間に装着する。そして、吸引スイッチ７４’の爪部７４’ａが第１のラック７５の係止部７５ａと係合するように挟持部材７０ｄ，７０ｅ間を狭めて体液採取容器２’を圧縮し、穿刺針３’を先端部２１’から突き出させる。また、穿刺スイッチ６２’の爪部６２’ａと押出し部材７３’の係止部７３’ａが係合するように、押出し部材７３’をホルダー駆動部８’の収容部材８１’内に挿入する。
【００３３】
体液分析装置５’における穿刺部６０’に、人体の所望の箇所、例えば指先を装着し、穿刺スイッチ６２’を押す。すると、爪部６２’ａが係止部７３’ａから外れ、バネ８２’の作用によって押出し部材７３’が収納部材８１’から突出し、体液採取器具ホルダー７’に保持された体液採取器具１’を押し出す。それに伴い、体液採取容器２’の先端部２１’から出ている穿刺針３’はハウジング６’から突出し、皮膚を穿刺する。それと同時に、吸引スイッチ７４’の先端部が皮膚に当接し、吸引スイッチ７４’が押される。吸引スイッチ７４’が押されると、爪部７４’ａが係止部７５ａから外れ、バネ７８の作用によって第１のラック７５及び第２のラック７７が摺動し、挟持部材７０ｄ，７０ｅ間が拡がる。すると、体液採取容器２’は自己の復元力によって圧縮状態から定常時の形状に復元し、穿刺針３’が容器内に収納されるとともに、容器内が減圧する。
【００３４】
穿刺によって皮膚から体液が出液するため、穿刺した部分に近接又は接触している体液採取容器２’の先端部２１’から、出液した体液が吸引される。その吸引によって、体液は先端部２１’内に設置されている電極４’に接触し、体液中の被検知物質が電気信号となってセンサー演算部に送られ、測定値が表示部６１’に示される。
【００３５】
このような本発明の体液分析装置によれば、単純なスイッチ操作により、穿刺、検出及び測定値の表示の一連の工程を連続して行うことができるとともに、ワンタッチで検査を済ませることができる。また、本装置は体液採取器具、減圧手段及び表示部を全て具備しているため、一般ユーザーが熟練を必要とせず、容易かつ迅速に使用することができる。さらに、本発明の体液分析装置では、使用する酵素インキの種類を変えることにより、血液中の血糖値のみならず、種々の体液中の物質の分析を行うことができる。
【００３６】
以上、図面を用いて本発明を詳細に説明したが、本発明はこれに限定されることなく、本発明の思想を逸脱しない限り、種々の変更を施すことができる。例えば、体液分析装置５’における体液採取器具ホルダー７’は、体液採取容器を減圧させることができればいかなる構成を取ってもよく、挟持部材７０ｄ，７０ｅの一方が可動式で他方が固定されていてもよい。
【００３７】
【発明の効果】
本発明によれば、容易に体液を採取でき、体液の分析を簡便にかつ迅速に行うことができる。
【図面の簡単な説明】
【図１】本発明の体液採取器具の一例を示す斜視図である。
【図２】図１における体液採取器具を圧縮した状態を示す斜視図である。
【図３】本発明の体液採取器具の別の例を示す斜視図である。
【図４】図３における体液採取器具を圧縮した状態を示す斜視図である。
【図５】本発明の体液分析装置の一例を示す斜視図である。
【図６】本発明の体液分析装置における体液採取器具、体液採取器具ホルダー、ホルダー駆動部及び穿刺スイッチを示す側面図である。  （ａ）  は体液採取容器を伸展させた状態、（ｂ）  は体液採取容器を圧縮した状態を示す。
【図７】本発明の体液分析装置の別の例を示す斜視図である。
【図８】本発明の体液分析装置における体液採取器具、体液採取器具ホルダー、ホルダー駆動部及び穿刺スイッチを示す斜視図である。
【図９】本発明の体液分析装置における体液採取器具、体液採取器具ホルダー、ホルダー駆動部及び穿刺スイッチを示す側面図である。
【図１０】本発明の体液分析装置における体液採取器具ホルダーの本体部及び挟持部材を示す分解斜視図である。
【図１１】本発明の体液分析装置における体液採取器具ホルダーにより、体液採取容器を圧縮した状態を示す斜視図である。
【図１２】本発明の体液分析装置において、体液採取容器を復元させた状態を示す斜視図である。
【符号の説明】
１，１’…体液採取器具                        ２，２’…体液採取容器
２１，２１’…先端部                        ２２…蛇腹部
２３…後部                            ２４…上壁部
２５…下壁部                          ２６，２６’…側壁部
２７…後壁部                          ２８…谷折部
３，３’…穿刺針                      ４，４’…電極
４１，４１’…リード線                    ４２，４２’…接点
５，５’…体液分析装置                ６，６’…ハウジング
６０，６０’…穿刺部                      ６１…表示部
６２，６２’…穿刺スイッチ                ６２ａ，６２’ａ，７４ａ，７４’ａ…爪部
７，７’…体液採取器具ホルダー        ７０ａ…スカート保持部
７０ｂ…後端保持部                    ７０ｃ…蛇腹保持部
７０ｄ，７０ｅ…挟持部材                            ７１，７１’…本体部
７２…摺動部材                        ７２ａ，７３ａ，７５ａ…係止部
７３，７３’…押出し部材                  ７４，７４’…吸引スイッチ
７５…第１のラック                    ７６…ピニオン
７７…第２のラック                    ７８，８２，８２’…バネ
７９…上蓋                            ７９ａ，７９ｂ…長穴
８，８’…ホルダー駆動部              ８１，８１’…収容部材
【図１】
0003605197.tif 000002
【図２】
0003605197.tif 000003
【図３】
0003605197.tif 000004
【図４】
0003605197.tif 000005
【図５】
0003605197.tif 000006
【図６】
0003605197.tif 000007
【図７】
0003605197.tif 000008
【図８】
0003605197.tif 000009
【図９】
0003605197.tif 000010
【図１０】
0003605197.tif 000011
【図１１】
0003605197.tif 000012
【図１２】
0003605197.tif 000013